(57)【特許請求の範囲】
【請求項１】
光源と、
前記光源を含んで前方に開口を有する器具本体と、
前記器具本体の前方に取り付けられ前記開口に連続する枠と、
前記器具本体の前記開口に取り付けられ、前記光源の光を反射する反射板と、
前記反射板の前側に取り付けられる透光性の前面パネルと、
前記前面パネルの前方に配されて前記枠の内面に取り付けられる補助反射板と、を有し、
前記枠に前記前面パネルを載置する台座を設けるとともに、前記台座の内側に隙間を設けた照明器具。
【請求項２】
請求項１に記載の照明器具において、
前記隙間に溝を設けた照明器具。
【発明の詳細な説明】
【技術分野】
【０００１】
本発明は、例えばＬＥＤを光源として天井等の施工面に埋設されて使用される照明器具に関する。
【背景技術】
【０００２】
従来より，ＬＥＤを光源として用い、天井に埋設されて使用される照明器具が知られている（例えば、特許文献１参照）。
【０００３】
図６に示すように、特許文献１に記載の照明器具１００は、天井に設けられた取付孔に挿入させることで、設置されるダウンライトである。この照明器具１００は、略円筒形状であって下方に開口（開口部１０６）を有する器具本体１０２を有し、内部に光源としてＬＥＤ１０１を複数個実装した実装基板１０７を収容する。器具本体１０２の上部には、ＬＥＤ１０１に電力を供給する電源装置１０３を有する。電源装置１０３は、アーム部１０４を介して器具本体外周の外側領域に位置するように設けられている。そして、複数の放熱フィン１０５を器具本体１０２の上面に設け、この放熱フィン１０５から略水平にアーム部１０４を結合させて、電源装置１０３を器具本体外周の外側領域に突出するように設けている。
この照明器具１００は、天井に埋設され、器具本体１０２の開口部１０６を天井から露出するとともに、電源装置１０３等を天井の裏側に収容する。
【先行技術文献】
【特許文献】
【０００４】
【特許文献１】特開２００８−１５９４５５号公報（図１）
【発明の概要】
【発明が解決しようとする課題】
【０００５】
ところで、前述したような照明器具においては、図７に示すように、開口部１０６にＬＥＤ１０１を保護する前面パネル１０９を設けるとともに、器具本体１０２の前に枠１０７を取り付け、枠１０７の内面に補助反射板１０８を取り付ける場合がある。このような場合には、補助反射板１０８の上端部１０８Ａと枠１０７の上端部１０７Ａとを加締めにより取り付けるのが一般的である。
しかしながら、枠１０７の上端部１０７Ａが、平坦な場合、加締めた補助反射板１０８の先端（上端部１０８Ａ）が枠１０７の上端部１０７Ａに沿って配置されるため、補助反射板１０８の上端部１０８Ａの角部１０８Ｂが前面パネル１０９に当接して、前面パネル１０９に傷や割れが生ずるという問題があった。
【０００６】
本発明は、従来の問題を解決するためになされたもので、補助反射板１０８の先端の角部が前面パネルに接触することなく、加締めにより補助反射板を確実に枠に取り付けることができる照明器具を提供することを目的とする。
【課題を解決するための手段】
【０００７】
本発明の照明器具は、光源と、光源を含んで前方に開口を有する器具本体と、器具本体の前方に取り付けられ開口に連続する枠と、器具本体の開口に取り付けられ、光源の光を反射する反射板と、反射板の前側に取り付けられる透光性の前面パネルと、前面パネルの前方に配されて枠の内面に取り付けられる補助反射板と、を有し、枠に前面パネルを載置する台座を設けるとともに、台座の内側に隙間を設けたものである。
【０００８】
また、本発明の照明器具は、隙間に溝を設けたものである。
【発明の効果】
【０００９】
本発明は、光源を含む器具本体の開口の前方に取り付けられ、内面に補助反射板が取り付けられる枠に前面パネルを載置する台座を設けたので、前面パネルは台座に支持される。また、台座の内側に隙間を設けたので、補助反射板の先端の角部が前面パネルに当接しないように加締めにより枠に取り付けることができ、前面パネルに傷や割れが生じにくいという効果を有する照明器具を提供できる。
【図面の簡単な説明】
【００１０】
【図１】（Ａ）は本発明に係る第１実施形態の照明器具を示す上方から見た平面図、（Ｂ）は（Ａ）中Ｂ方向から見た側面図
【図２】（Ａ）は図１（Ａ）中ＩＩ−ＩＩ位置の断面図、（Ｂ）は（Ａ）中Ｂ部の拡大図
【図３】（Ａ）は補助反射板を枠体に取り付けた状態の平面図、（Ｂ）は（Ａ）中Ｂ−Ｂ位置の断面図
【図４】（Ａ）は枠体と補助反射板を示す分解斜視図、（Ｂ）は補助反射板を枠体に組み込んで加締め前の状態の斜視図
【図５】（Ａ）は補助反射板を枠体に組み込んで加締め前の状態を示す断面図、（Ｂ）は補助反射板を枠体に加締めた後の状態を示す断面図
【図６】従来の照明器具の斜視図
【図７】従来の照明器具における問題点を示す断面図
【発明を実施するための形態】
【００１１】
以下、本発明の実施形態の照明器具について、図面を用いて説明する。
図１および図２に示すように、本発明に係る実施形態の照明器具１０は、天井１１に設けられた取付孔１２に埋設して下方を照明するダウンライトとして用いることができる。照明器具１０は、器具本体２０と、器具本体２０に収容された光源であるＬＥＤ発光部３０と、枠体（枠）４０と、点灯電源装置６０を有する。
【００１２】
器具本体２０は、絶縁性を有する硬質な樹脂材料を用いて天板２１と周板２２とを有する円筒形状に形成されており、前方（ここでは、下方）に開口（開口部２５）している。天板２１の上面には、上方に向けて突出形成されている複数の放熱フィン２３と、ＬＥＤ発光部３０に点灯のための電力を供給する点灯電源装置６０が取り付けられている。点灯電源装置６０は、器具本体２０の天板２１から外側に大きく張り出して設けられており、端部に取り付けられた電源端子台６１を通じて、外部の商用電源に電気的に接続されている。
【００１３】
図２に示すように、器具本体２０の開口部２５には、ＬＥＤ発光部３０が取り付けられる。ＬＥＤ発光部３０は、光源であるＬＥＤ３１と、ＬＥＤ３１が実装されるＬＥＤ実装基板３２を有する。ＬＥＤ実装基板３２は、熱伝導シート３３を介して器具本体２０の下面２４に接触する。ＬＥＤ実装基板３２の下側には反射板３４が設けられている。
【００１４】
反射板３４は、ＬＥＤ３１の前方に位置する反射鏡部３４１をＬＥＤ３１の個数に対応して設けられており、ＬＥＤ３１の光を下方へ反射する。また、反射板３４の下側には、透光性の前面パネル３５が設けられる。
従って、前面パネル３５、反射板３４、ＬＥＤ実装基板３２および熱伝導シート３３は、器具本体２０と枠体４０との間に保持される。
【００１５】
図２および図３に示すように、枠体４０は、器具本体２０の外径寸法と同一の外径寸法を有する円筒形状に形成されており、器具本体２０の下側に一体的に組み付けられている。枠体４０は上部開口４６および下部開口４８を有し、上部開口４６には、ＬＥＤ発光部３０および前面パネル３５が収容される。
【００１６】
図３（Ａ）に示すように、枠体４０の外周部４２には、複数（ここでは、例えば３個）のバネ取付部４５が設けられており、各々取付バネ４４（図１参照）が取り付けられている。
従って、照明器具１０を天井１１の取付孔１２に取り付ける際には、取付バネ４４を器具本体２０の上方（図１（Ｂ）中矢印Ａ方向）へ弾性変形させて取付孔１２に挿入する。その後、手を放して取付バネ４４が水平方向（図１（Ｂ）中矢印Ｂ方向）へ開くことにより、取付バネ４４の下面と後述する鍔部４３の上面との間に天井１１を挟んで、照明器具１０を天井１１に固定する。
【００１７】
バネ取付部４５は、外周に沿って両側に、外側へ突出する突出部４５１（４５２）を有し、枠体４０の中心に対して対称な位置の２個の突出部４５２は、器具本体２０に取り付けるネジ止め部となっている。また、枠体４０の下端部の下部開口４８の周囲には、取り付け状態で天井１１の下面に露出する円環状の鍔部４３が外側に張り出して一体的に設けられている。
【００１８】
枠体４０の上部には、後述する補助反射板５０を取り付ける補助反射板取付部４７が、全周に亘って内側に突出して設けられている。補助反射板取付部４７は、内周端に凸部４７１を有し、凸部４７１の外側には下方へ凹んだ隙間４７２を有する。また、バネ取付部４５の突出部４５１に該当する位置（図３（Ｂ）中右側部分参照）では、隙間４７２の外側に、前面パネル３５の下面に当接して支持する台座４７３が設けられており、隙間４７２に対応する部分は溝４７４を形成している。従って、ここでは、４カ所の突出部４５１に台座４７３が設けられることになる。
【００１９】
図４（Ａ）に示すように、枠体４０の内面４１に取り付けられる補助反射板５０は、薄板からなる全体略円錐台形状をしており、上部開口５１および下部開口５２を有する。上部開口５１は、前面パネル３５を介してＬＥＤ発光部３０の前方に開口する。補助反射板５０の側板５３は、例えば楕円や放物面状等の曲面に形成されていて、ＬＥＤ発光部３０からの光を、下部開口５２から所定の方向および範囲に反射する。また、下部開口５２の周囲には引っ掛け部５４が外向きに突出して設けられており、枠体４０の下方から組み込んだときに、鍔部４３に下方から当接する（図２（Ａ）参照）。
なお、加締める前の状態の補助反射板５０の上端部には、補助反射板５０を枠体４０に取り付けるための加締部５５が設けられている。加締部５５は、加締め前の状態では、真っ直ぐに上方に伸びた円筒形状をしている。
【００２０】
次に、補助反射板５０を取り付ける動作について説明する。
まず、図４（Ａ）に示すように、補助反射板５０を枠体の下部開口４８から上方へ挿入し、補助反射板５０の下端部に設けられている引っ掛け部５４を、枠体４０の鍔部４３の下面に当接させる。この状態では、図４（Ｂ）および図５（Ａ）に示すように、補助反射板５０の加締部５５が、枠体４０の補助反射板取付部４７の内側から上方へ真っ直ぐに突出する。
【００２１】
次いで、補助反射板取付部４７の上方へ突出している加締部５５を、外側へ折り返して、枠体４０の凸部４７１を内包するように折り曲げて加締める。このとき、枠体４０のバネ取付部４５における突出部４５１に対応する位置では、加締部５５の先端を凸部４７１と台座４７３との間の溝４７４に押し込む。
その後、器具本体２０からのネジ（図示省略）を枠体４０の突出部４５２にねじ込んで、器具本体２０と枠体４０とを結合する。
【００２２】
以上、説明した本発明にかかる実施形態の照明器具１０では、ＬＥＤ３１を含む器具本体２０の開口部２５の前方に取り付けられ、内面４１に補助反射板５０が取り付けられる枠体４０に前面パネル３５を載置する台座４７３を設けたので、前面パネル３５は台座４７３に支持される。これにより、前面パネル１０９に傷や割れが生じにくいという効果が得られる。
また、台座４７３の内側に隙間４７２を設けたので、補助反射板５０を加締めにより枠体４０に取り付けたときに、加締部５５の先端の角部５５Ａが前面パネル３５に当接しないように取り付けることができる。これにより、前面パネル１０９に傷や割れが生じにくいという効果が得られる。
【００２３】
また、台座４７３の内側に設けた隙間４７２に溝４７４を設けたので、加締めた補助反射板５０の加締部５５の先端部５５Ａを溝４７４に挿入することができる。これにより、加締めた先端部５５Ａが隙間４７２から外れるのを防止して、確実に補助反射板５０を加締めることができる。
【００２４】
なお、本発明の照明器具は、前述した実施形態に限定されるものでなく、適宜な変形，改良等が可能である。
【符号の説明】
【００２５】
１０  照明器具
２０  器具本体
２５  開口部
３１  ＬＥＤ（光源）
３４  反射板
３５  前面パネル
４０  枠体（枠）
４１  内面
４７２  隙間
４７３  台座
４７４  溝
５０  補助反射板
【図１】
0005419800.tif 000002
【図２】
0005419800.tif 000003
【図３】
0005419800.tif 000004
【図４】
0005419800.tif 000005
【図５】
0005419800.tif 000006
【図６】
0005419800.tif 000007
【図７】
0005419800.tif 000008